(57)【要約】【課題】配線を短くするとともに部品点数を少なくしてコストダウンを図ることができ、着脱が容易な蛍光ランプ、ソケットおよび照明器具を提供する。【解決手段】直管状の複数の発光管部材１１を平行に配列し端部同士を連結して形成された屈曲した放電路１４の長さの発光管１２を、長手方向中央部に設けた口金部２０で支持するとともに電気的に接続するので、器具内配線を短くしてコストダウンを図ることができる。また、口金部２０が長手方向中央部にあるので、蛍光ランプ１０を容易に着脱することができる。【選択図】図１
2008235215.tif 000002
【特許請求の範囲】
【請求項１】
直管状に形成された複数の発光管部材が互いに平行に配列されているとともに、
前記各発光管部材の端部同士を連結することにより連続し、かつ、屈曲する放電路が形成された発光管と、
前記発光管の両端部を覆う口金部とを備え、
前記口金部が、前記発光管の長手方向中央部に配置されていることを特徴とする蛍光ランプ。
【請求項２】
前記口金部から突出するランプピンが、前記各発光管部材の配列方向に対して交差する方向に沿って設けられていることを特徴とする請求項１に記載の蛍光ランプ。
【請求項３】
前記口金部から突出するランプピンが、前記各発光管部材の配列方向に沿って設けられていることを特徴とする請求項１に記載の蛍光ランプ。
【請求項４】
前記口金部が、前記発光管を前記発光管部材の配列方向に直交する方向から挟持する二部材から構成されることを特徴とする請求項１に記載の蛍光ランプ。
【請求項５】
請求項１〜請求項４に記載の蛍光ランプの口金部を保持する保持部材を有するとともに、前記口金部に設けられたランプピンが接続可能な受金部を有することを特徴とするソケット。
【請求項６】
前記ソケットのソケット本体に点灯回路が収容されていることを特徴とする請求項５に記載のソケット。
【請求項７】
前記ソケット本体に電源接続部が設けられていることを特徴とする請求項５に記載のソケット。
【請求項８】
前記電源接続部がライティングプラグであることを特徴とする請求項７に記載のソケット。
【請求項９】
前記電源接続部が引っ掛けシーリングであることを特徴とする請求項７に記載のソケット。
【請求項１０】
前記受金部が複数設けられていることを特徴とする請求項５〜請求項９に記載のソケット。
【請求項１１】
請求項１〜請求項４のうちのいずれかに記載の蛍光ランプと、請求項５〜請求項１０のうちのいずれかに記載のソケットとを用いた照明装置。
【発明の詳細な説明】
【技術分野】
【０００１】
本発明は、蛍光ランプ、ソケットおよび照明器具に関するものである。
【背景技術】
【０００２】
図１３（Ａ）に示すように、従来の蛍光ランプ１００は、発光部である４本のガラス管部１０１と、樹脂製の口金部１０２を備えている。各ガラス管部１０１は、口金部１０２から上方（図１３（Ａ）において下方）に立ち上がり、その後、２本ずつ横方向へ平行に正反対の方向に伸びて、直線状に配置されている。２本ずつのガラス管部１０１は、先端部付近に連通部１０３が設けられており、互いに接続されている。図１３（Ｂ）に示すように、口金部１０２から上方へ４本のピン１０４が突出して設けられている（例えば特許文献１参照）。
【特許文献１】実開平３−１６６５７号公報（第１図、第３図）
【発明の開示】
【発明が解決しようとする課題】
【０００３】
ところで、従来の直管型の蛍光ランプでは、両端に口金部が設けられているため、少なくとも蛍光ランプと同じ長さの器具内配線が必要であり、配線が長くなるため面倒であるとともに、コストアップを招くという問題があった。また、蛍光ランプを口金部で取り付けるため、蛍光ランプが長くなると、着脱が難しくなるという問題があった。また、円環型の蛍光ランプの場合には、口金部以外に蛍光ランプを支持する部品が必要となり、部品点数が増加してコストアップを招くとともに、外観上も好ましくないという問題があった。
【０００４】
本発明は、従来の問題を解決するためになされたもので、器具内配線を短くするとともに部品点数を少なくしてコストダウンを図ることができ、着脱が容易な蛍光ランプ、ソケットおよび照明器具を提供することを目的とする。
【課題を解決するための手段】
【０００５】
本発明の蛍光ランプは、直管状に形成された複数の発光管部材が互いに平行に配列されているとともに、前記各発光管部材の端部同士を連結することにより連続し、かつ、屈曲する放電路が形成された発光管と、前記発光管の両端部を覆う口金部とを備え、前記口金部が、前記発光管の長手方向中央部に配置されている構成を有している。
【０００６】
この構成により、直管状の複数の発光管部材を平行に配列し端部同士を連結して形成された屈曲した放電路の長さの発光管を、長手方向中央部に設けた口金部で支持するとともに電気的に接続するので、器具内配線を短くしてコストダウンを図ることができる。また、口金部が長手方向中央部にあるので、蛍光ランプを容易に着脱することができる。
【０００７】
また、本発明の蛍光ランプは、前記口金部から突出するランプピンが、前記各発光管部材の配列方向に対して交差する方向に沿って設けられている構成を有している。
【０００８】
この構成により、発光管部材の配列方向の面に対して交差する方向にランプピンが設けられているので、器具設置方向に対して直交する方向にも配光しやすい。また、照明器具を薄くすることができる。なお、ランプピンは、口金部の発光管部材の配列方向の面と平行な一面から突出するように設けることができるが、口金部の平行な二面から両方向へ突出するように設けることも可能である。
【０００９】
また、本発明の蛍光ランプは、前記口金部から突出するランプピンが、前記各発光管部材の配列方向に沿って設けられている構成を有している。
【００１０】
この構成により、発光管部材の配列方向にランプピンが突出して設けられているので、発光管部材の配列方向の面に対して両方向へ多く配光することができる。なお、ランプピンは、口金部の発光管部材の配列方向の面と直交する一面から突出するように設けることができるが、口金部の平行な二面から両方向へ突出するように設けることも可能である。
【００１１】
また、前記口金部が、前記発光管を前記発光管部材の配列方向に直交する方向から挟持する二部材から構成される構成を有している。
【００１２】
この構成により、発光管を両側から挟んで口金部を取り付けるので、容易に口金部を取り付けることができる。
【００１３】
また、本発明のソケットは、前述した蛍光ランプの口金部を保持する保持部材を有するとともに、前記口金部に設けられたランプピンが接続可能な受金部を有する構成を有している。
【００１４】
この構成により、ソケットは、蛍光ランプの口金部を保持する保持部材と、蛍光ランプのランプピンを接続する受金部を有しているので、蛍光ランプをソケットに取り付けて保持部材で保持することにより、ランプピンを受金部に接続することができる。
【００１５】
また、本発明のソケットは、前記ソケットのソケット本体に点灯回路が収容されている構成を有している。
【００１６】
この構成により、ソケット本体に点灯回路が収容されているので、照明器具を小型化することができる。
【００１７】
また、本発明のソケットは、前記ソケット本体に電源接続部が設けられている構成を有している。
【００１８】
この構成により、ソケット本体に電源接続部が設けられているので、照明器具を小型化することができる。
【００１９】
また、本発明のソケットは、前記電源接続部がライティングプラグである構成を有している。
【００２０】
この構成により、電源接続部がライティングプラグであるので、ライティングダクトに取り付けることにより、移動可能に接続することができる。
【００２１】
また、本発明のソケットは、前記電源接続部が引っ掛けシーリングである構成を有している。
【００２２】
この構成により、電源接続部が引っ掛けシーリングであるので、容易にソケットに取り付けることができる。
【００２３】
また、本発明のソケットは、前記受金部が複数設けられている構成を有している。
【００２４】
この構成により、ソケットに受金部が複数設けられているので、１個のソケットで複数個の蛍光ランプを点灯させることができる。
【００２５】
また、本発明の照明器具は、前述したいずれかの蛍光ランプと、前述したいずれかのソケットとを用いた構成を有している。
【００２６】
この構成により、器具内配線を短くしてコストダウンを図ることができる。また、蛍光ランプをソケットに取り付けて保持部材で保持することにより、ランプピンを受金部に接続することができるので、蛍光ランプの着脱が容易である。
【発明の効果】
【００２７】
本発明は、直管状の複数の発光管部材を平行に配列し端部同士を連結して形成された屈曲した放電路の長さの発光管を、長手方向中央部に設けた口金部で支持するとともに電気的に接続するので、器具内配線を短くしてコストダウンを図ることができる。また、口金部が長手方向中央部にあるので、蛍光ランプを容易に着脱することができるという効果を有する蛍光ランプ、ソケットおよび照明器具を提供することができるものである。
【発明を実施するための最良の形態】
【００２８】
以下、本発明にかかる蛍光ランプ、ソケットおよび照明器具の実施形態について、図面を用いて説明する。
図１（Ａ）は蛍光ランプの斜視図、図１（Ｂ）は口金部の分解斜視図、図２は図１（Ａ）中II−II位置の断面図、図３（Ａ）は蛍光ランプの斜視図、図３（Ｂ）は図３（Ａ）中Ｂ−Ｂ位置の断面図、図４（Ａ）はランプピンが発光管部材の配列方向の一方に突出した場合の蛍光ランプの斜視図、図４（Ｂ）はソケットへの取り付け状態を示す断面図、図５（Ａ）はランプピンが発光管部材の配列方向の両方へ突出した場合の蛍光ランプの斜視図、図５（Ｂ）はソケットへの取り付け状態を示す断面図、図６はソケットの分解斜視図、図７は蛍光ランプをソケットに取り付けた状態を示す斜視図、図８は図７の分解斜視図、図９（Ａ）はライティングプラグを有するソケットの斜視図、図９（Ｂ）はライティングダクトに取り付けた状態を示す斜視図、図１０（Ａ）は引っ掛けシーリングを有するソケットの斜視図、図１０（Ｂ）は引っ掛けシーリング本体に取り付けた状態を示す斜視図、図１１は複数の蛍光ランプをソケットに取り付けた状態を示す斜視図、図１２（Ａ）は照明器具の斜視図、図１２（Ｂ）は分解斜視図である。
【００２９】
図１（Ａ）に示すように、蛍光ランプ１０Ａは、直管状に形成された複数の発光管部材１１が互いに平行に配列されているとともに、各発光管部材１１の端部同士をブリッジ部１３で連結することにより連続し、かつ、屈曲する放電路１４が形成された発光管１２と、発光管１２の両端部を覆う口金部２０とを備えている。図２に示すように、図２において下側の発光管部材１１ａは、口金部２０において端部同士が接続されており、各発光管部材１１ａの長さは蛍光ランプ１０Ａの全長の約半分である。一方、図２において上側の発光管部材１１ｂは、口金部２０を貫通しており、発光管部材１１ｂの長さは、ほぼ蛍光ランプ１０Ａの全長と等しくなっている。
【００３０】
図１（Ａ）に示すように、口金部２０は、発光管１２の長手方向中央部に配置されている。この口金部２０には、ランプピン２１が、各発光管部材１１の配列方向（図１（Ａ）中矢印Ａ方向）に対して交差する方向（図１（Ａ）において上下方向）に沿って設けられている。図２に示すように、発光管部材１１ａの端部には、おのおのフィラメント２２が設けられており、フィラメント２２の両端が、導入線２２ａを介してランプピン２１に接続されている。
【００３１】
図１（Ｂ）に示すように、口金部２０は、発光管１２を発光管部材１１の配列方向に直交する方向（上下方向）から挟持する二部材から構成されている。すなわち、口金部２０は、ランプピン２１が設けられ発光管１２の上面に当接する第１の部材２０ａと、発光管１２の下面に当接する第２の部材２０ｂに分割されており、発光管１２を挟んで固定する。なお、第１部材２０ａと第２部材２０ｂは、発光管１２を挟んで接着剤やねじ止めで固定するようにする。
これにより、容易に口金部２０を取り付けることができる。なお、口金部２０の第１部材２０ａと第２部材２０ｂの接合部分の外側面には、蛍光ランプ１０Ａを保持するための保持用溝２３が、蛍光ランプ１０Ａの長手方向に沿って凹設されている。
【００３２】
図３（Ａ）および（Ｂ）には、発光管部材１１を４列に並列した場合の蛍光ランプ１０Ｂが示されている。なお、前述した蛍光ランプ１０Ａと共通する部位には同じ符号を付して、重複する説明を省略することとする。
この蛍光ランプ１０Ｂでは、前述した蛍光ランプ１０Ａを口金部２０の中心線に対して対象に配置し、隣接する一方の端部をブリッジ部１３ａによって連続したものである。従って、放電路１４は１本で連続しており、その両端部にフィラメント２２が設けられている。
【００３３】
図４（Ａ）に示す蛍光ランプ１０Ｃでは、口金部２０から突出するランプピン２１が、各発光管部材１１の配列方向（図４（Ａ）において上下方向）に沿って一方向に（上方向）設けられている。従って、口金部２０においては、発光管部材１１の配列方向の中央に、保持用溝２３が形成されることになる。
これにより、図４（Ｂ）に示すように、ソケット３０に取り付けた場合には、発光管部材１１はソケット３０から配列方向に突出するように並ぶことになるため、発光管部材１１の配列方向の面に対して左右両方向へ多く配光することができる。
【００３４】
また、図５（Ａ）に示す蛍光ランプ１０Ｄでは、口金部２０から突出するランプピン２１が、各発光管部材１１の配列方向（図４（Ａ）において左右方向）に沿って両方へ突出して設けられている。
従って、図４（Ｂ）に示すように、ソケット３０に取り付けた場合には、蛍光ランプ１０Ｄは左右のランプピン２１によって支持されることになるので、口金部２０には保持用溝が形成されていない。
これにより、蛍光ランプ１０Ｄおよびソケット３０の厚さを薄くすることができる。
【００３５】
図６に示すように、ソケット３０は上面が開口した矩形箱状のソケット本体３１と、ソケット本体３１の開口を覆うカバー３２と、蛍光ランプ１０Ａを保持するための保持部材であるランプ保持バネ３３を有している。ソケット本体３１の側面には、ランプ保持バネ３３が嵌合する凹部３１ａが設けられており、カバー３２の上面にも、ランプ保持バネ３３が嵌合する凹部３２ａが設けられている。ランプ保持バネ３３は全体コ字状をしており、２本の脚部３３ａの下端部付近に、蛍光ランプ１０Ａの口金部２０に設けられている保持用溝２３を係止する係止突部３３ｂが設けられている。なお、ランプ保持バネ３３は、対向する係止突部３３ｂ、３３ｂが接近する方向に付勢されている。
従って、ランプ保持バネ３３は、ソケット本体３１の凹部３１ａに嵌合するとともに、カバー３２の凹部３２ａに嵌合することにより、カバー３２によってソケット本体３１の開口を覆った状態で、蛍光ランプ３３を保持することになる。
【００３６】
ソケット本体３１の内部には、蛍光ランプ１０Ａを点灯させるための点灯回路３４が設けられており、出力線３４ａがソケット本体３１の底面に設けられている受金部３５（図８参照）のランプピン挿入穴３５ａに接続されている。また、ソケット本体３１内部には、連結端子部３６が設けられており、電源端子３６ａおよび送り端子３６ｂが、ソケット本体３１の側面に設けられている２つの開口３１ｂ、３１ｃから外部に接続可能となっている。なお、連結端子部３６は、電線３７によって点灯回路３４に接続されており、電力を供給している。また、電源端子３６ａには電源線３８が接続され、送り端子３６ｂには送り線３９が接続される（図８参照）。
【００３７】
図７および図８には、前述した蛍光ランプ１０Ａをソケット３０に取り付けた状態が示されている。図８に示すように、蛍光ランプ１０Ａの口金部２０から上方へ突出しているランプピン２１を、ソケット３０の底面に設けられている受金部３５のランプピン挿入穴３５ａに挿入して、蛍光ランプ１０Ａを点灯回路３４に電気的に接続する。そして、ソケット３０に取り付けられているランプ保持バネ３３の先端の係止突部３３ｂを、蛍光ランプ１０Ａの口金部２０に設けられている保持用溝２３に嵌合させることにより、蛍光ランプ１０Ａはソケット３０に保持されることになる。
【００３８】
図９（Ａ）には、上面に電源接続部であるライティングプラグ４０が設けられたソケット３０が示されている。ライティングプラグ４０は、図９（Ｂ）に示すようなライティングダクト４１に沿って移動可能となっている。ライティングプラグ４０には、移動方向と直交する方向に、２本の金属製の板状の端子４０ａ、４０ａが突出して設けられており、ソケット３０内部において点灯回路３４（図６参照）に接続されている。一方、ライティングダクト４１は、下面の一部が開口した矩形柱状の部材であり、例えば天井面や壁面に沿って取り付けられる。ライティングダクト４１の内部には左右一対の端子受け部４１ａが長手方向に沿って設けられており、この端子受け部４１ａは電源に接続されて電力が供給されている。従って、ソケット３０に取り付けられているライティングプラグ４０の端子４０ａを、ライティングダクト４１の端子受け部４１に挿入することにより、ソケット３０をライティングダクト４１に移動可能に取り付けるとともに、電源に接続することができる。
【００３９】
図１０（Ａ）には、上面に電源接続部である引っ掛けシーリング４２が設けられたソケット３０が示されている。引っ掛けシーリング４２の先端は、Ｌ字状に折り曲げられて引っ掛け部４２ａが形成されており、引っ掛けシーリング４２の下端部は、ソケット３０内部において点灯回路３４（図６参照）に接続されている。図１０（Ｂ）に示すように、ソケット３０の引っ掛けシーリング４２を、例えば天井面に取り付けられている引っ掛けシーリング本体４３の引っ掛け穴４３ａに挿入して回転させることにより、引っ掛け部４２ａを引っ掛けて、ソケット３０を引っ掛けシーリング本体４３に取り付けるとともに、電気的に接続することができる。このため、ソケット３０を容易に引っ掛けシーリング本体４３に取り付けることができる。
【００４０】
図１１に示すように、このソケット３０Ｂは、ソケット本体３１の内部に、複数個の受金部３５（図８参照）を有するとともに、複数個の点灯回路３４（図６参照）を有している。従って、複数個（ここでは４個）の蛍光ランプ１０を取り付けることができ、１個のソケット３０Ｂで複数個の蛍光ランプ１０を点灯させることができる。
【００４１】
図１２には、前述した蛍光ランプ１０Ａおよびソケット３０を用いた照明器具５０が示されている。なお、すでに前述した部位と共通する部位には同じ符号を付して、重複する説明を省略することとする。
この照明器具５０は、ソケット３０の下面に反射板５１をねじ５２によって取り付けたものである。反射板５１の中央には切欠き５１ａが設けられており、反射板５１を取り付けた状態で、蛍光ランプ１０Ａのランプピン２１をソケット３０の受金部３５のランプピン挿入穴３５ａに挿入できるようになっている。
【００４２】
以上、説明した本発明の蛍光ランプ、ソケットおよび照明器具によれば、直管状の複数の発光管部材１１を平行に配列し端部同士を連結して形成された屈曲した放電路１４の長さの発光管１２を、長手方向中央部に設けた口金部２０で支持するとともに電気的に接続するので、器具内配線を短くしてコストダウンを図ることができる。また、口金部２０が長手方向中央部にあるので、蛍光ランプ１０を容易に着脱することができる。
【００４３】
また、発光管部材１１の配列方向の面に対して交差する方向にランプピン２１が設けられている場合には、器具設置方向に対して直交する方向にも配光しやすくなる。また、照明器具５０を薄くすることができる。
また、ソケット本体３１に点灯回路３４が収容されているので、照明器具５０を小型化することができる。また、ソケット本体３１に電源端子３６ａが設けられているので、照明器具５０を小型化することができる。
【００４４】
なお、本発明の蛍光ランプ、ソケットおよび照明器具は、前述した実施形態に限定されるものでなく、適宜な変形，改良等が可能である。
【産業上の利用可能性】
【００４５】
以上のように、本発明にかかる蛍光ランプ、ソケットおよび照明器具は、直管状の複数の発光管部材を平行に配列し端部同士を連結して形成された屈曲した放電路の長さの発光管を、長手方向中央部に設けた口金部で支持するとともに電気的に接続するので、器具内配線を短くしてコストダウンを図ることができる。また、口金部が長手方向中央部にあるので、蛍光ランプを容易に着脱することができるという効果を有し、蛍光ランプ、ソケットおよび照明器具等として有用である。
【図面の簡単な説明】
【００４６】
【図１】（Ａ）は蛍光ランプの斜視図、（Ｂ）は口金部の分解斜視図
【図２】図１（Ａ）中II−II位置の断面図
【図３】（Ａ）は蛍光ランプの斜視図、（Ｂ）は図３（Ａ）中Ｂ−Ｂ位置の断面図
【図４】（Ａ）はランプピンが発光管部材の配列方向の一方に突出した場合の蛍光ランプの斜視図、（Ｂ）はソケットへの取り付け状態を示す断面図
【図５】（Ａ）はランプピンが発光管部材の配列方向の両方へ突出した場合の蛍光ランプの斜視図、（Ｂ）はソケットへの取り付け状態を示す断面図
【図６】ソケットの分解斜視図
【図７】蛍光ランプをソケットに取り付けた状態を示す斜視図
【図８】図７の分解斜視図
【図９】（Ａ）はライティングプラグを有するソケットの斜視図、（Ｂ）はライティングダクトに取り付けた状態を示す斜視図、
【図１０】（Ａ）は引っ掛けシーリングを有するソケットの斜視図、（Ｂ）は引っ掛けシーリング本体に取り付けた状態を示す斜視図
【図１１】複数の蛍光ランプをソケットに取り付けた状態を示す斜視図
【図１２】（Ａ）は照明器具の斜視図、（Ｂ）は分解斜視図
【図１３】（Ａ）は従来の蛍光ランプの斜視図、（Ｂ）は図１３（Ａ）中Ｂ方向から見た斜視図
【符号の説明】
【００４７】
１０  蛍光ランプ
１１  発光管部材
１２  発光管
１４  放電路
２０  口金部
２０ａ  第１の部材（二部材）
２０ｂ  第１の部材（二部材）
２１  ランプピン
３０  ソケット
３１  ソケット本体
３３  ランプ保持バネ（保持部材）
３４  点灯回路
３５  受金部
４０  ライティングプラグ（電源接続部）
４２  引っ掛けシーリング（電源接続部）
５０  照明装置
【図１】
2008235215.tif 000003
【図２】
2008235215.tif 000004
【図３】
2008235215.tif 000005
【図４】
2008235215.tif 000006
【図５】
2008235215.tif 000007
【図６】
2008235215.tif 000008
【図７】
2008235215.tif 000009
【図８】
2008235215.tif 000010
【図９】
2008235215.tif 000011
【図１０】
2008235215.tif 000012
【図１１】
2008235215.tif 000013
【図１２】
2008235215.tif 000014
【図１３】
2008235215.tif 000015